(57)【要約】      （修正有）【課題】フィットネスバイクの折り畳み構造であって、地面に固定するスタンドと運動する人が握ることができるハンドルポストを座りサドルポストの両側に折り畳めることができ、折り畳んだ後のスタンドとハンドルピストが所定位置で固定させるほかに、フィットネスバイクの体積を更に縮減させることができ、同時に折り畳む操作も更に簡素化させたフィットネスバイクの折り畳み構造を提供する。【解決手段】上端にサドル１３を備え、また、下端に駆動装置４を備えるサドルポスト１を含み、且つ、サドルポスト１の中間後側において地面に固定するスタンド３を枢着し、また、サドルポストの下端部が地面に固定する以外に、上に向かって延伸して握ることができるハンドルポスト２を枢着し、同時に、サドルポストとスタンド、ハンドルポストの枢着部の所定位置において対応する位置決め穴１３２、１５１、１６１等を設ける。【選択図】図１
0003157632.tif 000002
【実用新案登録請求の範囲】
【請求項１】
フィットネスバイクの折り畳み構造であって、上端にサドルを備え、下端が駆動装置を備えるサドルポストと、前記サドルポストの上、下に設けられた地面に固定するスタンド、及び、握るためのハンドルポストと、を含み、前記ハンドルポストがサドルポストの下端に枢着し、前記スタンドがサドルポストの略中間の後側に枢着し、また、ハンドルポストとスタンドをサドルポスト近傍に折り畳むことができることを特徴とするフィットネスバイクの折り畳み構造。
【請求項２】
前記ハンドルポストの下端をサドルポスト下端に設けた枢着部に枢着され、また、前記ハンドルポスト下端に固定用ノブを貫設させ、且つ、枢着部の対応箇所に設けられたネジ穴内に螺合締め付けられることができることを特徴とする請求項１に記載のフィットネスバイクの折り畳み構造。
【請求項３】
前記ハンドルポストの下端をサドルポストの下端に設けた枢着部に枢着され、また、前記枢着部の上方に位置決め穴を設け、設けられ固定用ノブでハンドルポストに挿通した後、枢着部に設けた位置決め穴内に螺合締め付けることができることを特徴とする請求項１に記載のフィットネスバイクの折り畳み構造。
【請求項４】
前記サドルポストの下端に設けた枢着部上の所定位置とは別に異なる位置の複数位置決め穴を設け、また、前記ハンドルポスト上の所定位置にも位置決め穴を設け、従ってハンドルポストが異なる角度に回転した後、前記２つの対応する位置決め穴を吻合させた後、同時に１本のピンを貫設させて固定できることを特徴とする請求項２、または、請求項３に記載のフィットネスバイクの折り畳み構造。
【請求項５】
前記スタンドの上端をサドルポストの対応箇所に設けた枢着部に枢着され、且つ、スタンド上端の所定位置の側面に１個、或いは、複数の位置決め穴が設けられ、並びに、枢着部の所定位置にも１個、或いは、複数の位置決め穴を設け、従って、スタンドが異なる角度に回転した時、２つの対応する位置決め穴を吻合させ、且つ、同時に１本のピンを貫設して固定させることができることを特徴とする請求項１に記載のフィットネスバイクの折り畳み構造。
【請求項６】
前記サドルポストに設ける枢着部に固定用ノブを貫設し、且つ、スタンドの上端の対応箇所に固定用ノブを螺入して締め付けられることができるネジ穴を設けるを特徴とする請求項５に記載のフィットネスバイクの折り畳み構造。
【考案の詳細な説明】
【技術分野】
【０００１】
本考案は、フィットネスバイクのフレーム体の折り畳み構造に関し、特に、サドルポスト、スタンド及びハンドルポストを含み、またスタンド及びハンドルポストをサドルポストに折り畳めることで体積を縮減させる目的を達成するフレーム体に関する。
【背景技術】
【０００２】
我々が知っていたフィットネスバイクは、固定式フレーム体のほかに、一部のフレーム体を折り畳むことも可能で、またそのフレーム体が全てX型に交差した設計になっている。その目的はフレーム体を収めて体積を縮減させることで、収納が便利となるだけではなく、更に保管、運送の才数も大幅に減少させることができることで、保管、運送コストを引き下げることができる。
【０００３】
しかし、折り畳んだ後、そのフレーム体を完全に伝動機構に寄せることができないため、少し開いた状態になり、これにより折り畳んだ後の体積は依然として保管、運送スペースを比較的大きく占めていた。その他フレーム体のハンドル部を更に別の折り畳み可能な形式に分け、折り畳む時、まずサドルの部位を取り外してから、ハンドル部を折り畳むことができたため、その折り畳み操作において非常に不便性と手間がかかっていた。
【考案の概要】
【考案が解決しようとする課題】
【０００４】
このため、上記フィットネスバイクのフレーム体を折り畳んだ後も体積が大きい或いは折り畳み操作に手間が掛かる問題を改善することを課題とする。
【課題を解決するための手段】
【０００５】
上記の問題点を解決するため、本考案は、該フレーム体にはその上端にサドルを備え、また下端に駆動装置を備えるサドルポストを含み、且つサドルポストの中間後側において地面に固定するスタンドを枢着し、またサドルポストの下端部に上に向かって延伸して運動する人が握ることができるハンドルポストを枢着し、スタンドとハンドルポストがサドルポストに折り畳んだ後で固定させる。
【０００６】
その他、上記本考案のスタンドとハンドルポストは、異なる展開角度に調節することが可能で、フィットネスバイクに異なる働き及び用途のフィットネス運動を行わせることができる。
【考案の効果】
【０００７】
これにより、上述の本考案のスタンドとハンドルポストをサドルポスト上の異なる位置にそれぞれ枢着し、従ってスタンドとハンドルポストをサドルポストの両側に折り畳んだ後で固定させることで、フレーム体全体の体積を更に縮減させることができ、同時に折り畳む操作も更に簡素化させることができる。
【図面の簡単な説明】
【０００８】
【図１】本考案の立体を示す図である。
【図２】本考案の分解を示す図である。
【図３】本考案の別の分解を示す図である。
【図４】本考案の側面図である。
【図５】本考案の別の使用状態を示す図である。
【図６】本考案の折り畳んだ後の状態を示す図である。
【図７】本考案の実施例２の立体を示す図である。
【図８】本考案の実施例２の側面図である。
【図９】本考案の実施例２の折り畳んだ後の状態を示す図である。
【図１０】本考案の実施例３の立体を示す図である。
【図１１】本考案の実施例３の側面図である。
【図１２】本考案の実施例３の折り畳んだ後の状態を示す図である。
【考案を実施するための形態】
【０００９】
本考案は、主にフィットネスバイクのフレーム体に座れるサドルポスト、及びサドルポストに枢着し折り畳んでからサドルポストに寄せることができるハンドルポストとスタンドに分かれ、従って体積を縮減する目的を達成する。
【実施例１】
【００１０】
図１、２及び３を参考にしながら説明する。本考案のフィットネスバイクのフレーム体には、主にサドルポスト１、ハンドルポスト２及びスタンド３を含み、該サドルポスト１の上端に高低を調節できるサドル１３が設けられる。即ち、該サドル１３の下方に枢着部材１３１を設けられて伸縮ポスト１２の上端部に枢着し、また固定用ノブ１３３で伸縮ポスト１２を固定させ、別に枢着部材１３１側面に２つの位置決め穴１３２を設けられ、且つ伸縮ポスト１２の箇所に対応して１つの位置決め穴１２１が設けられ、ピンを異なる位置決め穴１３２に差し込み、また同時に位置決め穴１２１に挿通した後、サドル１３を異なる角度に変化させるよう調節できる。その他、該サドル１３の底部に外側へ延び出し上に向かって湾曲する支持ロッド１３４が固設され、また該支持ロッド１３４の上端末と背もたれ１４の後方支持棒１４１と連結するよう枢着させ、且つ該支持棒１４１の下端外側に当接材１４２が設けられ、従って背もたれ１４を立てた後、該当接材１４２がちょうど支持ロッド１３４に当接して背もたれ１４が位置決められ、同時に背もたれ１４も内側へ折り畳んでサドル１３に寄せることができる。
【００１１】
その他、該サドルポスト１の下方に運動する人の足で漕ぐことができる駆動装置４が設けられ、且つサドルポスト１の下端に支持脚１１を形成して地面に固定し、同時にサドルポスト１下端に枢着部１５が設けられ、該ハンドルポスト２の下端を枢着部１５に枢着され、また該枢着部１５の側面に異なる位置決め穴１５１、１５２、１５３がそれぞれ設けられ、及びその正面にネジ穴１５４を設ける。また該ハンドルポスト２の上端に高さを調節できるハンドル部２２が設けられ、ハンドルポスト２に固定用ノブ２４の位置決めを介して上下に伸縮可能な伸縮ポスト２１を貫設し、該ハンドル部２２を伸縮ポスト２１の上端に設けられ、同時に伸縮ポスト２１の上端部に表示メーター２３を設置し、表示メーター２３の後方に枢着部材２３１が設けられて表示メーター２３を伸縮ポスト２１の上端に枢着させ、表示メーター２３を異なる角度に調節させることができる。又、ハンドルポスト２の下端部に固定用ノブ２５を設置し、該固定用ノブ２５が枢着部１５のネジ穴１５４内に螺入させ、ハンドルポスト２が更に安定してサドルポスト１の上端部に固定させることができる。且つハンドルポスト２の側面の所定位置にも位置決め穴２６を設け、従ってピンを介して異なる位置決め穴１５１、１５２或いは１５３内に挿通し、また同時に位置決め穴２６を挿通連結すると、ハンドルポスト２を異なる角度に調節させることができる。
【００１２】
次に、該サドルポスト１の中間後側に枢着部１６を設けられ、また該枢着部１６の側面に異なる位置決め穴１６１、１６２及び１６３がそれぞれ設けられ、また該スタンド３の上端が該枢着部１６に枢着され、且つスタンド３の近傍上端の側面に位置決め穴３２、３３がそれぞれ設けられ、またスタンド３の下端に地面に固定する支持脚３１を設けるためピンを介して異なる位置決め穴１６１、１６２或いは１６３に挿通し、同時に対応する位置決め穴３２或いは３３を挿通連結すると、スタンド３を異なる角度に調整させることができる。
【００１３】
そのため、図４に示すようにスタンド３を展開してピンを位置決め穴１６１、３２内に挿通連結し、及びハンドルポスト２を固定用ノブ２５でサドルポスト１の枢着部１５のネジ穴１５４に締め付けた後、フィットネスバイクを一般的に座った姿勢の状態になって使用することができる。ただし利用者がリクライニングの状態で使用したい時、図５に示すように、スタンド３を更に後ろに向けて展開させ、またピンを同時に位置決め穴１６２、３２内に挿通連結し、且つハンドルポスト２の固定用ノブ２５を緩めた後、更に内側へ回転させ、またピンを介して同時に位置決め穴１５２、２６内に挿通連結してハンドルポスト２を固定する。同時に該サドル１３下端の枢着部材１３１も、ピンを通じて同時に１３２、１２１上に挿通連結すると、サドル１３を水平の座った状態にさせることができる。これにより利用者がその上に座った時、その支持脚は更に前方へ延びて漕ぐことができ、同時に利用者の背中の背もたれ１４に寄りせることで、利用者の座った姿勢が少しリクライニングした姿勢になり、漕ぐ運動を行うことができる。
【００１４】
図６を参照にして説明する。逆に、図６に示すように、フィットネスバイクを使用しない或いは保管、運送したい時、背もたれ１４をサドル１３に折り畳むことができ、またハンドルポスト２もサドルポスト１の近傍側に寄せることができ、且つ枢着部１５の位置決め穴１５３とハンドルポスト２上の位置決め穴２６を吻合させ、その後ピンを挿通させて固定すると、ハンドルポスト２が固定されて動くことができなくなる。その他、スタンド３もサドルポスト１の他側に寄せることができ、同時に枢着部１６上の位置決め穴１６３とスタンド３上の位置決め穴３３を吻合させ、またピンを挿通して固定すると、同じようにスタンド３が固定されて動くことができなくなり、従ってフィットネスバイクのハンドルポスト２、スタンド３及び背もたれ１４をサドルポスト１上に折り畳む作業が終了する。
【００１５】
そのため、上記フィットネスバイクのフレーム体の折り畳み操作方法は、簡単で容易なだけでなく、且つ折り畳んだフレーム体は固定することができるため保管、運送も更に便利になり、同時に折り畳んだ後のフレーム体の体積を大幅に縮減し、保管、運送スペース及びコストが更に節減させることができる。
【実施例２】
【００１６】
その他にも図７及び図８を参照にして説明する。図７及び図８に示されるのは、本考案の実施例２で、即ち、該フィットネスバイクのフレーム体は同様に高低を調整できるサドル１３と駆動装置４を備えるサドルポスト１と、サドルポスト１の前方下端に枢着するハンドルポスト２、及びサドルポスト１の中間後側に枢着するスタンド３とを含む。該サドルポスト１下端に設けたハンドルポスト２下端を枢着するための枢着部１２にもハンドルポスト２下端に貫設する固定用ノブ２５を螺合するためのネジ穴１５４、及びハンドルポスト２を折り畳んだ後に固定するための位置決め穴１５３が設けられる。また、該スタンド３の下端には同じように地面に固定できる支持脚３１を設け、またその上端をサドルポスト１中間後側に設けられた枢着部１６に枢着され、且つ枢着部１６を貫通してスタンド３上端に設けられたネジ穴３４内に螺合できる締め具５２を別途設け、並びにスタンド３の上端側面に位置決め穴３３を開設され、また枢着部１６に対応して吻合する位置決め穴１６３を設ける。
【００１７】
これにより、ハンドルポスト２及びスタンド３が展開した時、締め具５２、２５を通じて両者をサドルポスト１の上、下端に設けられた枢着部１６、１５を締め付け、フィットネスバイクを展開して位置決めした後、運動する人が操作使用できる。逆に、図９に示すように、フィットネスバイクを使用しない或いは保管、運送したい時、まず２つの締め具５２、２５を緩めた後、ハンドルポスト２をサドルポスト１の上方に寄せ、また枢着部１５の位置決め穴１５３とハンドルポスト２上の位置決め穴２６を吻合させ、その後締め具２５或いはピンを挿通して締め付けると、ハンドルポスト２が固定され動かなくなる。その他、スタンド３もサドルポスト１の下方に寄せることができ、同時に枢着部１６上の位置決め穴１６３とスタンド３上の位置決め穴３３を吻合させ、また締め具５２或いはピンを挿通して締め付けると、同様にスタンド３が固定されて動かなくなる。
【００１８】
次に、更に図１０、１１を参照にして説明する。図１０、１１に示すように、該フィットネスバイクのサドルポスト１とスタンド３の連結構造は、上記実施例２と同じであるため、ここで繰り返して記述することがないが、該サドルポスト１の前方下端に同じように枢着部１５を設け、また該枢着部１５の上端の両側前後に位置決め穴１５１、１５３がそれぞれ設けられ、また該ハンドルポスト２の下端両側は軸棒６を介して枢着部１５に枢着し、且かつ地面に固定する支持脚２７を形成し、同時に該ハンドルポスト２の下端側面の所定位置に位置決め穴２６が設けられる。そのため、ハンドルポスト２が展開した時、固定用ノブ５１で位置決め穴２６を挿通して枢着部１５に設けた位置決め穴１５１内で螺合締め付けることができる。
【００１９】
図１２を参照にして説明する。逆に、図１２に示すように、ハンドルポスト２をサドルポスト１に折り畳んだ後、該固定用ノブ５１が枢着部１５上の別の位置決め穴１５３内に螺合締め付けることができる。同時にスタンド３もサドルポスト１に折り畳んだ後、固定用ノブ５２で同時に位置決め穴１６３、３３に挿通連結することで固定できる。そのため前述の実施例２の２つのフィットネスバイクの折り畳み方法も実施例１と同じように、操作の簡素化及び体積を縮減する効果を持っている。
【産業上の利用可能性】
【００２０】
これにより、上述の手法は簡単に折り畳みと固定できるフィットネスバイクのフレーム体構造を提供し、利用者の操作または製造、販売者の保管、運送が更に便利になる。
【符号の説明】
【００２１】
１…サドルポスト、
１１…支持脚、
１２…伸縮ポスト、
１２１…位置決め穴、
１３…サドル、
１３１…枢着部材、
１３２…位置決め穴、
１３３…固定用ノブ、
１３４…支持棒、
１４…背もたれ、
１４１…支持棒、
１４２…支持棒、
１５…枢着部、
１５１、１５２、１５３…位置決め穴、
１５４…ネジ穴、
１６…枢着部、
１６１、１６２、１６３…位置決め穴、
２…ハンドルポスト、
２１…伸縮ポスト、
２２…ハンドル部、
２３…表示メーター、
２３１…枢着部材、
２４、２５…固定用ノブ、
２６…位置決め穴、
２７…支持脚、
３…スタンド、
３１…支持脚、
３２、３３…位置決め穴、
３４…ネジ穴、
４…駆動装置、
５１、５２…固定用ノブ。
【図１】
0003157632.tif 000003
【図２】
0003157632.tif 000004
【図３】
0003157632.tif 000005
【図４】
0003157632.tif 000006
【図５】
0003157632.tif 000007
【図６】
0003157632.tif 000008
【図７】
0003157632.tif 000009
【図８】
0003157632.tif 000010
【図９】
0003157632.tif 000011
【図１０】
0003157632.tif 000012
【図１１】
0003157632.tif 000013
【図１２】
0003157632.tif 000014